(57)【要約】【課題】回転カム式や多芯筆記具等、出没機構に限定されることなく共通して使用可能なボールペンレフィルを用いた出没式ボールペンを簡単な構造で提供することである。【解決手段】内径が略均一のインキ収容筒の先端に、ボールペンチップを圧入装着し、前記インキ収容筒の内部に、ボールペン用インキを充填してなるボールペンレフィルを、軸筒内に摺動自在に配設し、軸筒内に配設したコイルスプリングの弾発力によって、前記ボールペンレフィルを軸筒後端方向に付勢して配設するとともに、前記ボールペンチップを前記軸筒の先端開口部から出没可能とした出没式ボールペンであって、前記インキ収容筒の先端部に、他の部分よりも外径が小さい小径部を形成するとともに、前記ボールペンチップまたはチップホルダーとインキ収容筒の圧入部に対向する位置に、前記インキ収容筒の他の部分の外径よりも小さく、かつ小径部よりも外径の大きい圧入装着部を設ける。【選択図】      図１
2009107204.tif 000002
【特許請求の範囲】
【請求項１】
内径が略均一のインキ収容筒の先端に、ボールペンチップを圧入装着し、前記インキ収容筒の内部に、ボールペン用インキを充填してなるボールペンレフィルを、軸筒内に摺動自在に配設し、軸筒内に配設したコイルスプリングの弾発力によって、前記ボールペンレフィルを軸筒後端方向に付勢して配設するとともに、前記ボールペンチップを前記軸筒の先端開口部から出没可能とした出没式ボールペンであって、前記インキ収容筒の先端部に、他の部分よりも外径が小さい小径部を形成するとともに、前記ボールペンチップまたはチップホルダーとインキ収容筒の圧入部に対向する位置に、前記インキ収容筒の他の部分の外径よりも小さく、かつ小径部よりも外径の大きい圧入装着部を設けたことを特徴とする出没式ボールペン
【請求項２】
前記コイルスプリングが、前記ボールペンレフィルの小径部と他の部分との外径差によって生じる段部に係止して、前記ボールペンレフィルを軸筒後端方向に付勢して配設してあることを特徴とする請求項１に記載の出没式ボールペン
【請求項３】
前記軸筒内に、前記ボールペンレフィルを複数本配設するとともに、前記コイルスプリングが、前記ボールペンレフィルに係合した係合部材を弾発し、前記ボールペンレフィルを間接的に弾発していることを特徴とする請求項１に記載の出没式ボールペン
【発明の詳細な説明】
【技術分野】
【０００１】
本発明は、 ボールペンレフィルのボールペンチップを軸筒の先端開口部から出没可能とした出没式ボールペンに関するものである。
【背景技術】
【０００２】
従来から、外径が略均一な円筒状のインキ収容筒の先端に、ボールペンチップを直接、またはチップホルダーを介して圧入装着し、前記インキ収容筒の内部に、ボールペン用インキを充填してなるボールペンレフィルについては良く知られている。また、軸筒の先端部に配設したコイルスプリングにより前述したボールペンレフィルを軸筒後端方向に付勢して配設する構造も良く知られて、特開平９−２９０５９５号公報「ノック式筆記具」等に開示されている。
【０００３】
ところで、油性ボールペン用のボールペンレフィルにおいては、外径が略均一な円筒状のものが一般的に使用されていて、ノック式ボールペンに用いる場合には、インキ収容筒に膨出部を一体に形成し、この膨出部にコイルスプリングを係止させている。
【０００４】
また 、他の構造としては、特開平８−１４２５７８号公報「ノック式ボールペン」に開示されているように、チップホルダー等によって、インキ収容筒の先端部に段部を形成し、この段部にコイルスプリングを係止させる構造等も知れている。
【０００５】
ところで 、特開平９−２８６１９７号公報「複式筆記具」のように軸筒内に複数のボールペンレフィルを配設し、軸筒の先端開口部から選択して使用することのできる多芯筆記具等では、軸筒を小径すること、コイルスプリングでボールペンレフィルを直接、弾発しないため、前述した膨出部の必要がないこと等から、ボールペンレフィルの外径を小さくすることが求められている。
【０００６】
また、多芯筆記具では、軸筒の軸心に対して偏心した位置にボールペンレフィルが位置するため、ボールペンチップの出没時にボールペンレフィルが屈曲しながら出没するため、特開平９−２８６１９７号公報「複式筆記具」に開示されているように、屈曲しやすいボールペンレフィルを配設することが好ましい。
【特許文献１】「特開平９−２９０５９５号公報」
【特許文献２】「特開平８−１４２５７８号公報」
【特許文献３】「特開平９−２８６１９７号公報」
【発明の開示】
【発明が解決しようとする課題】
【０００７】
しかしながら、特許文献１のようなノック式ボールペンで用いるのボールペンレフィルは、インキ収容筒に一体に形成した膨出部によって外径が大きくなるため、多芯筆記具としては不向きであり、全長、インキ充填量、外径が同一であっても特許文献１のようなノック式ボールペンと特許文献３のような多芯筆記具では異なるボールペンレフィルを用いているのが現状である。
【０００８】
このように、全長、インキ充填量、外径が同一でありながら異なるインキ収容筒を用いる必要があるため、使用者が困惑するだけでなく、在庫管理や製造工程での対応等、様々な部分でコストが高騰する問題があった。
【０００９】
同様に、特許文献２のような、チップホルダーを介在させるボールペンレフィルは、部品点数が増加するため、製造コストが高騰するという問題があった。また、チップホルダーを介在せずにインキ収容筒の先端部に段部を形成するには、インキ収容筒の内径差が大きくなるため、インキ追従性に問題が生じる恐れがある。更にまた、内径を略均一とするには、単にインキ収容筒の先端部に小径部を形成することが考えられるが、ボールペンチップとインキ収容筒とが圧入する部分において、肉厚が薄く、ボールペンチップが外れる恐れや、インキ収容筒に割れが発生する恐れがあった。
【００１０】
本発明の課題は、回転カム式や多芯筆記具等、出没機構に限定されることなく共通して使用可能なボールペンレフィルを用いた出没式ボールペンを簡単な構造で提供することである。
【課題を解決するための手段】
【００１１】
本発明は、内径が略均一のインキ収容筒の先端に、ボールペンチップを圧入装着し、前記インキ収容筒の内部に、ボールペン用インキを充填してなるボールペンレフィルを、軸筒内に摺動自在に配設し、軸筒内に配設したコイルスプリングの弾発力によって、前記ボールペンレフィルを軸筒後端方向に付勢して配設するとともに、前記ボールペンチップを前記軸筒の先端開口部から出没可能とした出没式ボールペンであって、前記インキ収容筒の先端部に、他の部分よりも外径が小さい小径部を形成するとともに、前記ボールペンチップまたはチップホルダーとインキ収容筒の圧入部に対向する位置に、前記インキ収容筒の他の部分の外径よりも小さく、かつ小径部よりも外径の大きい圧入装着部を設けたことを特徴とする。
【００１２】
また、前記コイルスプリングが、前記ボールペンレフィルの小径部と他の部分との外径差によって生じる段部に係止して、前記ボールペンレフィルを軸筒後端方向に付勢して配設してあることを特徴とする。
【００１３】
更にまた、前記軸筒内に、前記ボールペンレフィルを複数本配設するとともに、前記コイルスプリングが、前記ボールペンレフィルに係合した係合部材を弾発し、前記ボールペンレフィルを間接的に弾発していることを特徴とする。
【発明の効果】
【００１４】
本発明は、回転カム式や多芯筆記具等、出没機構に限定されることなく共通して使用可能なボールペンレフィルを用いた出没式ボールペンを簡単な構造で提供することができた。
【発明を実施するための最良の形態】
【００１５】
次に、本発明の出没式ボールペンの実施例を説明するが、本発明は以下の実施例に限定されるものではない。
【００１６】
実施例１
図１から図４に示す出没式筆記具１１は、前軸１２と後軸１３を螺合して軸筒本体を構成し、後軸１３内に回転カム１６からなる出没機構を具備した出没式ボールペン１１である。この繰出機構は、従来から知られているもので、簡単に説明すると、後軸１３の後端部の内壁面に回転カム１６を前後に摺動案内し回転させるためのカム溝（図示せず）を形成し、このカム溝に、回転カム１６に形成した突起を係合して配設してある。回転カム１６の後端には、回転カムを摺動し回転を付与するためのカム部を先端に有したノック体１５を、後軸１３より外方に突出した状態に配設した構造である。
【００１７】
回転カム１６の前方には、ボールペンレフィル１をコイルスプリング１７により後軸３の後端方向へ付勢して、摺動自在に配設してあり、口先部材１４又は前軸１２を取り外すことで、ボールペンレフィル１を交換可能としてある。また、前軸１２の把持部にはグリップ部材１８、後軸１３にはクリップ１９を配設してある。
【００１８】
コイルスプリング１７は、インキ収容筒２の小径部２ａと他の部分との外径差によって生じる段部２ｃに係止して配設してあるため、膨出部等、外径を大きくすることなく用いることができる。
【００１９】
出没式ボールペン１１を使用するには、ノック体１５を押圧して回転カム１６をカム溝（図示せず）に沿って前進させ、ノック体１５のカム部の作用により回転カム１６を回転させて、ボールペンチップ３を口先部材１４の先端開口部１４ａより突出させて使用することができる。さらにノック体１５を押圧すると、ノック体１５のカム部の作用により回転カム１６を回転させ、コイルスプリング１７の付勢力によって回転カム１６をカム溝（図示せず）に沿って後退させ、ボールペンチップ３を没入することができる。
【００２０】
ボールペンレフィル１を詳述すると、外径φ４．０ｍｍのインキ収容筒２の先端に、ボール３を回転自在に抱持したボールペンチップ３を装着し、内部に、油性ボールペン用インキを充填してある。
【００２１】
ボールペンレフィル１のインキ収容筒２の先端部には、他の部分の外径Ｌよりも小さい外径Ｍの小径部２ａを形成するとともに、ボールペンチップ３とインキ収容筒２とが圧入する位置に、インキ収容筒２の外径Ｌよりも小さく、かつ小径部２ａの外径Ｍよりも大きい外径Ｎの圧入装着部２ｂを設けてある。（Ｌ＞Ｎ＞Ｍ）
【００２２】
ボールペンチップ３とインキ収容筒２とが圧入する部分において、小径部２ａよりも肉厚の厚い圧入装着部２ｂを設けてあるので、インキ収容筒２からボールペンチップ３が容易に外れたり、インキ収容筒２が割れたりする等の不具合の発生を抑制できる。更にまた、インキ収容筒２の内径が略均一であるために、インキ追従性が良好とであるとともに、インキ充填量の管理も容易である。
【００２３】
実施例２
図５に示すスライド式の多芯筆記具２１は、前軸２２の後端部に後軸２３を螺着し、前軸２２、後軸２３内に、色の異なるボールペン用インキ（図示せず）を充填したボールペンレフィル１を２本、コイルスプリング２５により後方に付勢させ収納している。尚、ボールペンレフィル１はスライド部材２４（係合部材）に圧入保持されており、コイルスプリング２５はスライド部材２４を後方に付勢することで、ボールペンレフィル１を間接的に後方に付勢して収納してある。
【００２４】
ボールペンレフィル１を使用する際には、スライド部材２４の隆起部２４ａを前軸２２の先端開口部２２ａ方向にスライドせしめることで、スライド部材２４の係止部が後軸２３に形成した被被子部に係止することにより、ボールペンレフィル１のボールペンチップ３を前軸２２の先端開口部２２ａから突出させて使用することができる。
【００２５】
ボールペンレフィル１は、インキ収容筒２に膨出部を形成せず、最大外径Ｌを大きくしていないため、前軸２２、後軸２３の内径を大きくすることなく用いることができる。また、多芯筆記具２１においては、ボールペンレフィル１のボールペンチップ３を前軸２２の先端開口部２２ａから出没する時に、インキ収容筒２が軸心方向に屈曲して出没するが、インキ収容筒２に小径部２ａ（薄肉部）を形成してあるため、内側へ屈曲し易いという効果を奏する。また、小径部２ａが内側に屈曲し易くなることで、屈曲時のボールペンチップ３とインキ収容筒２との圧入部への影響も小さくなる。
【００２６】
本実施例では、便宜上、回転カム式の出没式ボールペンとスライド式の多芯筆記具を例示しているが、その他の出没機構を具備する出没式ボールペンとしても共通して使用可能である。そのため、在庫管理が容易になるだけでなく、製造工程の共通化もできるため、製造コストを著しく低下することができる。
【産業上の利用可能性】
【００２７】
本発明の出没式ボールペンは、インキ粘度、種類、出没機構等、特に限定されることなく、出没式ボールペンとして広く利用可能である。
【図面の簡単な説明】
【００２８】
【図１】実施例１の回転カム式の出没式ボ−ルペンを示す縦断面図である。
【図２】図１における、一部省略した要部拡大断面図である。
【図３】図１におけるボ−ルペンレフィルを示す縦断面図である。
【図４】図３における、一部省略した要部拡大断面図である。
【図５】実施例２のスライド式の多芯筆記具を示す縦断面図である。
【符号の説明】
【００２９】
１  ボールペンレフィル
２  インキ収容筒
２ａ  小径部
２ｂ  圧入装着部
３  ボールペンチップ
４  ボール
１１  出没式ボールペン
１４  口先部材
１４ａ  先端開口部
１７  コイルスプリング
２１  多芯筆記具
２２  前軸
２２ａ  先端開口部
２５  コイルスプリング
Ｌ  インキ収容筒の外径
Ｍ  小径部の外径
Ｎ  圧入装着部の外径
【図１】
2009107204.tif 000003
【図２】
2009107204.tif 000004
【図３】
2009107204.tif 000005
【図４】
2009107204.tif 000006
【図５】
2009107204.tif 000007